(57)【要約】      （修正有）【課題】ケーブルの向きを変更可能で、小型化が可能な電力変換装置を提供する。【解決手段】電力変換装置は、コネクタと、ハウジング２００と、第１、第２バスバー１５１、１５２とを備えている。ハウジング２００の収納部内には、コネクタの留め部１１２が固定される第１コネクタ取付部２２１、第２コネクタ取付部が設けられている。第１接続端子部３６１と第２接続端子部３６２とは、第１コネクタ取付部２２１と第２コネクタ取付部間の中心を通る第２仮想線Ｎ２−Ｎ２に対して線対称の位置に配置されている。コネクタの向きを１８０度回転した場合でも、第１バスバー１５１は第１接続端子部３６１に、また、第２バスバー１５２は第２接続端子部３６２に位置が合う。【選択図】図７
2018073517.tif 000002
【特許請求の範囲】
【請求項１】
コネクタ本体と、
前記コネクタ本体が取付けられるコネクタ本体取付部と、外部部材に固定するための留め部を有するホルダとを備え、
前記コネクタ本体は
第１の外部端子に接続される第１端子を有し、前記第１の外部端子を挿入する挿入方向に延在される第１端子挿入部と、
第２の外部端子に接続される第２端子を有し、前記第１端子挿入部に平行に配置された第２端子挿入部とを備え、
前記コネクタ本体が前記ホルダの前記コネクタ本体取付部に取付けられた状態で、前記コネクタ本体の前記第１端子挿入部と前記第２端子挿入部とは、前記第１端子挿入部に平行で前記留め部を通る第１仮想線に対して線対称の位置に配置されている、コネクタ。
【請求項２】
請求項１に記載の前記コネクタおよび電力変換回路部を収納する収納部を有するハウジングを備え、
前記ハウジングの前記収納部内には、前記コネクタの前記ホルダの前記留め部が固定される第１コネクタ取付部および第２コネクタ取付部が設けられている、電力変換装置。
【請求項３】
請求項２に記載の電力変換装置において、
さらに、前記第１端子挿入部の前記第１端子に接続される一端と、前記電力変換回路部に接続される第１接続端子部に接続される他端を有する第１バスバーと、前記第２端子挿入部の前記第２端子に接続される一端と、前記電力変換回路部に接続される第２接続端子部に接続される他端を有する第２バスバーとを有し、
前記第１接続端子部と前記第２接続端子部とは、前記第１コネクタ取付部と前記第２コネクタ取付部間の中心を通り前記第１仮想線に対して垂直な第２仮想線に対して線対称の位置に配置されている、電力変換装置。
【請求項４】
請求項３に記載の電力変換装置において、
前記コネクタ本体は、第１バスバー取付部と第２バスバー取付部とを有し、
前記第１バスバー取付部に前記第１端子が取付けられ、前記第２バスバー取付部に前記第２端子が取付けられ、
前記第１バスバーの一端は、前記第１端子に接続された状態で前記第１バスバー取付部に固定され、前記第２バスバーの一端は、前記第２端子に接続された状態で前記第２バスバー取付部に固定されている、電力変換装置。
【請求項５】
請求項３に記載の電力変換装置において、
前記第１バスバーと前記第２バスバーとは、絶縁部材により一体化されている、電力変換装置。
【請求項６】
請求項２から請求項５までのいずれか一項に記載の電力変換装置において、
前記ハウジングは、前記コネクタ本体に対応する相対向する一対の側部の一方に、前記第１の外部端子および前記第２の外部端子が挿通される開口部が形成され、
前記一対の側部の他方は、前記第１の外部端子および前記第２の外部端子が挿通される開口部が封口されているか、または開口部を有していない側部として形成されている、電力変換装置。
【発明の詳細な説明】
【技術分野】
【０００１】
本発明は、コネクタおよび電力変換装置に関する。
【背景技術】
【０００２】
ハイブリッド車やプラグインハイブリッド車、電気自動車などの車両には、動力駆動用の高電圧蓄電池と、電力変換装置と、低電圧負荷の補助電源としての低電圧蓄電池とが搭載されている。
【０００３】
電力変換装置は、インバータ装置とＤＣ−ＤＣコンバータ装置とを備えている。
【０００４】
インバータ装置は、高電圧蓄電池の直流高電圧出力を交流高電圧出力に電力変換して、モータを駆動する。インバータ装置は、複数のＩＧＢＴ（絶縁ゲート型バイポーラトランジスタ）を有するインバータ回路部およびコンデンサモジュールを備えている。
【０００５】
ＤＣ−ＤＣコンバータ装置は、高電圧蓄電池の直流高電圧出力を直流低電圧出力に変換して車両のライトやラジオなどの低電圧負荷へ電力供給を行う。
【０００６】
高電圧蓄電池から出力される高電圧は、ＤＣ−ＤＣコンバータ装置およびインバータ装置に供給される。また、インバータ装置からは、モータを駆動するＵ相、Ｖ相、Ｗ相からなる３相の交流電力が出力される。電力変換装置と高電圧蓄電池や外部機器とは、高電圧ケーブルにより接続される。
【０００７】
車両には、右ハンドル車と左ハンドル車とがあるが、これらの車両では、高電圧蓄電池の配置が左右逆になる。また、車両には、前輪駆動車と後輪駆動車とがあるが、これらの車両では、駆動するモータの配置が前後逆になる。これらの車両では、電力変換装置に接続される高電圧ケーブルは、１８０度異なる方向に向けて引き出される必要があり、このために、２種類の電力変換装置が必要となる。しかし、これでは、設計期間や部品共通化の面で不利である。このため、１種類の電力変換装置で共用化を図った電力変換装置がある。
【０００８】
このような電力変換装置の一例として、半導体モジュールやコンデンサモジュールが収納される格納ケース内に端子台を収納した構造としたものがある。端子台は、コンデンサモジュールの、半導体モジュールが配置された側の反対側である一面側に配置される。こ半導体モジュールに一端が接続された複数のバスバーは、上記コンデンサモジュールの一面側に引き回されて端子台上に他端部が配列される。各バスバーの端部上には、バスバーの数に対応した数の高電圧ケーブル端子部が配置される。各高電圧ケーブル端子部と各バスバーとは、締結部材により連結した状態で端子台に固定される。高電圧ケーブル端子部は、１８０度向きを変えた状態でも、バスバーに連結された状態で端子台に固定可能となっている。
【０００９】
格納ケースの相対向する一対の側部には、それぞれ、高電圧ケーブルと高電圧ケーブル端子部とを接続するコネクタが取付けられる開口部が形成されている。一対の開口部のうち、高電圧ケーブルが接続されない方の側部の開口部は、封口しておく。さらに、格納ケースには、高電圧ケーブル端子部とバスバーとの連結作業を行うための作業孔が形成されている。複数の高電圧ケーブル端子部と複数のバスバーとは、格納ケースに設けた作業孔を通して、締結部材により１組ずつ連結され、かつ、端子台に固定される（例えば、特許文献１参照）。
【先行技術文献】
【特許文献】
【００１０】
【特許文献１】特開２０１１−２３４４８８号公報
【発明の概要】
【発明が解決しようとする課題】
【００１１】
特許文献１に開示された電力変換装置では、高電圧ケーブル端子部とバスバーとを連結して固定するための端子台が必要であり、電力変換装置が大型化する。また、高電圧ケーブル端子部の向きを変える作業は、複数の高電圧ケーブル端子部と複数のバスバーとを格納ケース内に密閉した状態で、１組ずつ連結する作業となるので、作業能率が悪い。
【課題を解決するための手段】
【００１２】
本発明の一態様によると、コネクタは、コネクタ本体と、前記コネクタ本体が取付けられるコネクタ本体取付部と、外部部材に固定するための留め部を有するホルダとを備え、前記コネクタ本体は、第１の外部端子に接続される第１端子を有し、前記第１の外部端子を挿入する挿入方向に延在される第１端子挿入部と、第２の外部端子に接続される第２端子を有し、前記第１端子挿入部に平行に配置された第２端子挿入部とを備え、前記コネクタ本体が前記ホルダの前記コネクタ本体取付部に取付けられた状態で、前記コネクタ本体の前記第１端子挿入部と前記第２端子挿入部とは、前記第１端子挿入部に平行で前記留め部を通る第１仮想線に対して線対称の位置に配置されている。
【００１３】
本発明の一態様によると、電力変換装置は、上記一態様に記載のコネクタと、電力変換回路部を収納する収納部を有するハウジングとを備え、前記ハウジングの前記収納部内には、前記コネクタの前記ホルダの前記留め部が固定される第１取付部および第２取付部が設けられている。
【発明の効果】
【００１４】
本発明によれば、高電圧ケーブルとバスバーとを連結するための端子台等の絶縁部材を不要とすることができるため、電力変換装置の小型化を図ることができる。また、コネクタの向きを変える作業を能率的にすることができる。
【図面の簡単な説明】
【００１５】
【図１】本発明の電力変換装置の一実施の形態を示す分解斜視図。
【図２】図１に図示されたハウジングの内部を示す斜視図。
【図３】（Ａ）は図２に図示されたハウジングの上面図、（Ｂ）はハウジングの左側面図、（Ｃ）はハウジングの右側面図。
【図４】図１に図示されたコネクタおよびバスバー部材の拡大図。
【図５】図４に図示されたコネクタおよびバスバー部材の分解斜視図。
【図６】図４に図示されたコネクタを背面側から観た図。
【図７】コネクタをハウジングに組付けた状態を示す斜視図。
【図８】図７に図示されたコネクタを左右反転してハウジングに組付けた状態を示す斜視図。
【発明を実施するための形態】
【００１６】
以下、図面を参照して本発明のコネクタおよび電力変換装置の一実施の形態を説明する。
【００１７】
図１は、本発明の電力変換装置の一実施の形態を示す分解斜視図である。なお、図１においては、上部カバーは図示を省略されている。
【００１８】
電力変換装置１は、ハウジング２００と、ハウジング２００内に収納されるパワーモジュール３１０と、パワーモジュール３１０に電気的に接続されるコネクタ１００およびバスバー部材１５０等を備えている。また、電力変換装置１は、ハウジング２００内に収納され、パワーモジュール３１０に電気的に接続されるコアバスバー３１１、コンデンサ３１２、ＥＭＣフィルタ３１３および放電抵抗３１４等の電子部品を有する。
【００１９】
パワーモジュール３１０は、アルミニウム、鉄などの熱伝導性が良好なモジュールケース内に、ＤＣ−ＤＣコンバータ、インバータ等が収納された構造を有する。図示はしないが、ＤＣ−ＤＣコンバータは、高電圧の直流電圧を交流高電圧に変換する変換回路、交流高電圧を交流低電圧に変換する変換回路と、交流低電圧を直流低電圧に変換する変換回路等の電力変換回路部を有する。インバータは、直流電圧を交流電力に変換するパワー半導体モジュール有する。パワー半導体モジュールは、上・下アームとして動作するＩＧＢＴ（絶縁ゲート型バイポーラトランジスタ）やダイオード等の半導体素子により構成される電力変換回路部を有する。インバータは、Ｕ相、Ｖ相、Ｗ相からなる３相の交流電力を出力する。パワーモジュール３１０のモジュールケースには、インバータを構成するパワー半導体モジュールを冷却するための冷却流路（図示せず）が形成されている。
【００２０】
コンデンサ３１２は、インバータの上・下アーム間に接続され、放電抵抗３１４は、コンデンサ３１２に並列に接続される。ＥＭＣフィルタ３１３は、ＤＣ−ＤＣコンバータに接続される。コアバスバー３１１は、コンデンサ３１２、ＥＭＣフィルタ３１３、放電抵抗３１４等の電子部品と電力変換部とを接続する。
【００２１】
電力変換装置１のコネクタ１００には、ケーブル部材３２０が接続される。
【００２２】
図２は、図１に図示されたハウジングの内部を示す斜視図であり、図３（Ａ）は、図２に図示されたハウジングの上面図であり、図３（Ｂ）は、ハウジングの左側面図であり、図３（Ｃ）は、ハウジングの右側面図である。
【００２３】
ハウジング２００は、アルミニウムや鉄などの金属により形成されている。ハウジング２００は、底部２０１を有し、上部が開口されたボックス状に形成されている。ハウジング２００には、収納部２１０が形成されている。収納部２１０は、パワーモジュール３１０等が収納されるモジュール収納部２１１と、コネクタ１００等が収納されるコネクタ収納部２１２とを有し、コネクタ収納部２１２とモジュール収納部２１１とは連接して形成されている。
【００２４】
なお、以下の説明において、ｘ方向、ｙ方向、ｚ方向を図示の通りとする。
【００２５】
ハウジング２００は、コネクタ収納部２１２を構成する一対の側壁２１３、２１４を有する。側壁２１３、２１４には、後述する第１ケーブル３２１および第２ケーブル３２２を挿通する開口部２１３ａ、２１３ｂまたは開口部２１４ａ、２１４ｂが形成されている。電力変換装置１に接続される第１、第２ケーブル３２１、３２２の引出し方向に応じて、側壁２１３に開口部２１３ａ、２１３ｂを形成するか側壁２１４に２１４ａ、２１４ｂが形成される。側壁２１３、２１４の一方に開口部が形成されると、他方の側壁には、開口部は形成されない。しかし、図３では、説明の都合上、一方の側壁２１３の開口部２１３ａ、２１３ｂに形成され、また、他方の側壁２１４に開口部２１４ａ、２１４ｂが形成されているものとして図示されている。実際には、一方の側壁２１３に開口部２１３ａ、２１３ｂが形成されている場合には、他方の側壁２１４には、開口部２１４ａ、２１４ｂは形成されていないか、あるいは、開口部２１４ａ、２１４ｂは封口部材２１５により封口されている。
【００２６】
ケーブル部材３２０は、接続端子３２１ａを有する第１ケーブル３２１と、接続端子３２２ａを有する第２ケーブル３２２と、第１ケーブル３２１および第２ケーブル３２２保持する保持部３２３とを有する。側壁２１３に設けられた開口部２１３ａ、２１３ｂは、それぞれ、第１ケーブル３２１の接続端子３２１ａおよび第２ケーブル３２２の接続端子３２２ａを挿通可能に形成されている。
【００２７】
ハウジング２００のコネクタ収納部２１２内には、第１コネクタ取付部２２１および第２コネクタ取付部２２２が設けられている。第１コネクタ取付部２２１と第２コネクタ取付部２２２は、ｘ方向に離間して配置され、ハウジング２００の底部２０１からｚ方向に同じ長さに突出して形成されている。第１コネクタ取付部２２１と第２コネクタ取付部２２２は、第１コネクタ取付部２２１と第２コネクタ取付部２２２間の中心を通るｙｚ面に対し、線対称に配置されている。
【００２８】
ハウジング２００は、例えば、アルミダイキャスト等の鋳造により形成することができる。一方の側壁２１３に形成する２つの開口部２１３ａ、２１３ｂおよび他方の側壁２１４に形成する開口部２１４ａ、２１４ｂは、機械加工により形成することができる。ハウジング２００を鋳造により形成する場合、鋳造型に部分型を嵌め込む方法を用いて、開口部を有する側壁と、開口部の無い側壁とを任意に形成する。あるいは、上述したように、ハウジング２００の一方および他方の側壁２１３、２１４それぞれに、２つの開口部２１３ａ、２１３ｂおよび開口部２１４ａ、２１４ｂを設けておき、封口部材２１５を用いて不必要な開口部を封口するようにしてもよい。但し、後者の方法は、部品点数および作業工数が増大する。第１コネクタ取付部２２１および第２コネクタ取付部２２２の形成についても、鋳造型に部分型を嵌め込む方法を用いて、第１コネクタ取付部２２１および／または第２コネクタ取付部２２２との位置や高さを任意に変更できるようにすることができる。
【００２９】
図４は、図１に図示されたコネクタおよびバスバー部材の拡大図であり、図５は、図４に図示されたコネクタおよびバスバー部材の分解斜視図である。図６は、図４に図示されたコネクタを背面側から観た図である。
【００３０】
コネクタ１００は、コネクタ本体１２０とホルダ１１０とを有する。
【００３１】
コネクタ本体１２０は、ｘ方向に延在する第１端子挿入部１２１と第２端子挿入部１２２と、第１端子挿入部１２１と第２端子挿入部を支持する絶縁部材からなる支持部１２３を有する。支持部１２３は、第１端子支持部１２３ａと第２端子支持部１２３ｂとを有する。図示はしないが、第１端子挿入部１２１は、ケーブル部材３２０の第１ケーブル３２１の接続端子３２１ａが接続される第１端子（図示せず）を有する。第２端子挿入部１２２は、ケーブル部材３２０の第２ケーブル３２２の接続端子３２２ａが接続される第２端子（図示せず）を有する。第１端子挿入部１２１と第２端子挿入部１２２は、ｘ方向に平行に延在されている。
【００３２】
支持部１２３は、ｚ方向に長い板状部材であり、ｚ方向の両端にねじ１１等の締結部材が挿通される貫通孔が設けられている。支持部１２３には、第１端子挿入部１２１に設けられた不図示の第１端子の端部１２４が取付けられている。第２端子支持部１２３ｂには、第２端子挿入部１２２に設けられた不図示の第２端子の端部１２５が取付けられている。第１、第２端子の端部１２４、１２５には、それぞれ、貫通孔１２４ａ、１２５ａが設けられている。支持部１２３および第２端子支持部１２３ｂには、それぞれ、貫通孔１２４ａ、１２５ａ対応して雌ねじ部１２６ａ、１２６ｂが設けられている。支持部１２３のｚ方向の両端には、ねじ等の締結部材１１が挿通される貫通孔が設けられている。また、支持部１２３のｚ方向の両端には、ｘ方向に突き出す凸部が形成されており、各凸部には小孔１２７が形成されている。コネクタ本体１２０は、第１端子挿入部１２１と第２端子挿入部１２２間の中心を通り、第１端子挿入部１２１および第２端子挿入部１２２に平行な直線に対して線対称に形成されている。
【００３３】
ホルダ１１０は、ｚ方向に長い板状部材であり、ｚ方向の中心には、留め部１１２が設けられている。留め部１１２には、締結部材１２（図７、図８参照）が挿通される貫通孔１１３が、形成されている。ホルダ１１０のｚ方向の両端には、締結部材１１が挿通される雌ねじ部１１４が形成されている。ホルダ１１０の各雌ねじ部１１４の近傍にコネクタ本体１２０の各小孔１２７に挿通されるピン部１１５が設けられている。
【００３４】
コネクタ１００を作製するには、コネクタ本体１２０のｚ方向の両端に設けられた小孔１２７に、ホルダ１１０のピン部１１５を挿通する。そして、この状態で、コネクタ本体１２０の貫通孔に締結部材１１を挿通して、ホルダ１１０の雌ねじ部１１４に締結する。これによりコネクタ１００が得られる。
【００３５】
コネクタ１００において、留め部１１２は、第１端子挿入部１２１と第２端子挿入部１２２間の中心を通り、第１端子挿入部１２１と第２端子挿入部１２２と平行な直線上に配置されている。
【００３６】
図６は、図４に図示されたコネクタを背面側から観た図である。つまり、図４におけるコネクタ１００を、ｚｙ面を中心に左右反転した状態の図である。第１端子挿入部１２１と第２端子挿入部１２２とは、第１端子挿入部１２１と第２端子挿入部１２２と平行で留め部１１２を通る第１仮想線Ｎ１−Ｎ１に対して線対称の位置に配置されている。このため、第１仮想線Ｎ１−Ｎ１から第１端子挿入部１２１までの距離および第１仮想線Ｎ１−Ｎ１から第２端子挿入部１２２までの距離は、図４に示された姿勢と、図６に示された姿勢とで同一である。
【００３７】
図５において、バスバー部材１５０は、第１バスバー１５１と、第２バスバー１５２と、第１バスバー１５１と第２バスバー１５２とを一体的に保持する絶縁部材１５３とを有する。バスバー部材１５０は、例えば、第１バスバー１５１と第２バスバー１５２をインサート部材とするインサート成型により形成することができる。第１バスバー１５１は、一端１５１ａと、他端１５１ｂとを有する。第１バスバー１５１の一端１５１ａは、第１端子挿入部１２１に設けられた第１端子の端部１２４（図５参照）に接続される。第１バスバー１５１の他端１５１ｂは、ＥＭＣフィルタ３１３の基板３５１に設けられた第１接続端子部３６１（図７、図８参照）に接続される。第２バスバー１５２は、一端１５２ａと、他端１５２ｂとを有する。第２バスバー１５２の一端１５２ａは、第２端子挿入部１２２に設けられた第２端子の端部１２５（図５参照）に接続される。第２バスバー１５２の他端１５２ｂは、ＥＭＣフィルタ３１３の基板３５１に設けられた第２接続端子部３６２（図７、図８参照）に接続される。
【００３８】
図７はコネクタをハウジングに組付けた状態を示す斜視図である。また、図８は、図７に図示されたコネクタを左右反転してハウジングに組付けた状態を示す斜視図である。
【００３９】
図７および図８を参照して、コネクタ１００の組付け方法を説明する。
【００４０】
ハウジング２００の収納部２１０内に、基板３５１を有するＥＭＣフィルタ３１３を取付ける。パワーモジュール３１０、放電抵抗３１４、コンデンサ３１２等の他の電子部品は、事前に組付けておいてもよいし、後から組付けてもよい。
【００４１】
そして、コネクタ１００を、ハウジング２００のコネクタ収納部２１２内に組付ける。コネクタ１００は、留め部１１２を、ハウジング２００の第１コネクタ取付部２２１の上面または第２コネクタ取付部２２２の上面にねじ等の締結部材１２により固定する。図７は、コネクタ１００の留め部１１２を、ハウジング２００の第１コネクタ取付部２２１の上面に締結部材１２により締結した状態を示す。この状態では、コネクタ１００の第１端子挿入部１２１および第２端子挿入部１２２はハウジング２００の一方の側壁２１３に対向して配置される。従って、第１ケーブル３２１および第２ケーブル３２２を、一方の側壁２１３に設けられた開口部２１３ａ、２１３ｂを挿通して、コネクタ１００の第１端子挿入部１２１および第２端子挿入部１２２に接続することができる。
【００４２】
図８は、コネクタ１００の留め部１１２を、ハウジング２００の第２コネクタ取付部２２２の上面に締結部材１２により締結した状態を示す。この状態では、コネクタ１００の第１端子挿入部１２１および第２端子挿入部１２２はハウジング２００の他方の側壁２１４に対向して配置される。図８に示す状態では、ハウジング２００の一方の側壁２１３には、開口部２１３ａ、２１３ｂは設けられておらず、他方の側壁２１４に開口部２１４ａ、２１４ｂ（図３（Ｃ）参照）が設けられている。従って、第１ケーブル３２１および第２ケーブル３２２を、他方の側壁２１４に設けられた開口部２１４ａ、２１４ｂを挿通して、コネクタ１００の第１端子挿入部１２１および第２端子挿入部１２２に接続することができる。
【００４３】
次に、バスバー部材１５０をコネクタ１００に取付ける。バスバー部材１５０の第１バスバー１５１の一端１５１ａの貫通孔にねじ等の締結部材１３を挿通し、コネクタ本体１２０に保持された第１端子の端部１２４の貫通孔１２４ａに挿通し、支持部１２３の雌ねじ部１２６ａに締結する。また、バスバー部材１５０の第２バスバー１５２の一端１５２ａの貫通孔にねじ等の締結部材（図示せず）を挿通し、コネクタ本体１２０に保持された第２端子の端部１２５の貫通孔１２５ａに挿通し、支持部１２３の雌ねじ部１２６ｂに締結する。
【００４４】
なお、コネクタ１００とバスバー部材１５０との取付けは、コネクタ１００をハウジング２００に取付ける前に行っておいてもよい。その場合には、コネクタ１００の組付け状態が、図７に示す状態であるか、図８に示す状態であるかにより、コネクタ１００の向きを決定して、コネクタ１００とバスバー部材１５０とを組付ける。そして、バスバー部材１５０が組付けられたコネクタ１００の留め部１１２を、ハウジング２００の第１コネクタ取付部２２１の上面または第２コネクタ取付部２２２の上面に固定する。
【００４５】
次に、バスバー部材１５０をＥＭＣフィルタ３１３の基板３５１に接続する。
【００４６】
バスバー部材１５０の第１バスバー１５１の他端１５１ｂを基板３５１の第１接続端子部３６１に接続する。第１バスバー１５１の他端１５１ｂと基板３５１の第１接続端子部３６１との接続は、ねじ等の締結部材１４により固定することにより行うことができる。あるいは、はんだ等の接合によって行ってもよい。また、バスバー部材１５０の第２バスバー１５２の他端１５２ｂを基板３５１の第２接続端子部３６２に接続する。第２バスバー１５２の他端１５１ｂと基板３５１の第２接続端子部３６２との接続は、ねじ等の締結部材１４により固定することにより行うことができる。あるいは、はんだ等の接合によって行ってもよい。
【００４７】
図７および図８に示す状態において、基板３５１の第１接続端子部３６１と第２接続端子部３６２とは、ハウジング２００の第１コネクタ取付部２２１と第２コネクタ取付部２２２間の中心を通り、第１仮想線Ｎ１−Ｎ１に垂直な第２仮想線Ｎ２−Ｎ２に対して、線対称の位置に配置されている。このため、バスバー部材１５０に取付けられるコネクタ１００は、図７に示される状態と図８に示される状態とでは左右方向に１８０度回転しているが、第１バスバー１５１の他端１５１ｂは第１接続端子部３６１に、また、第２バスバー１５２の他端１５２ｂは第２接続端子部３６２に位置が合う。
【００４８】
従って、図７の状態で、ハウジング２００の一方の側壁２１３の開口部２１３ａから挿入されコネクタ１００の第１端子挿入部１２１に接続された第１ケーブル３２１は、第１バスバー１５１を介して、基板３５１の第１接続端子部３６１に接続される。また、ハウジング２００の一方の側壁２１３の開口部２１３ｂから挿入されコネクタ１００の第２端子挿入部１２２接続された第２ケーブル３２２は、第２バスバー１５２を介して、基板３５１の第２接続端子部３６２に接続される。
【００４９】
同様に、図８の状態で、ハウジング２００の他方の側壁２１４の開口部２１４ａから挿入されコネクタ１００の第１端子挿入部１２１に接続された第１ケーブル３２１は、第１バスバー１５１を介して、基板３５１の第１接続端子部３６１に接続される。また、ハウジング２００の他方の側壁２１４の開口部２１４ｂから挿入されコネクタ１００の第２端子挿入部１２２接続された第２ケーブル３２２は、第２バスバー１５２を介して、基板３５１の第２接続端子部３６２に接続される。
【００５０】
上記本発明の一実施の形態によれば、下記の作用効果を奏する。
（１）コネクタ１００は、コネクタ本体１２０と、コネクタ本体取付部（雌ねじ部１１４およびピン部１１５）および留め部１１２を有するホルダ１１０とを備える。コネクタ本体１２０は、第１ケーブル（外部端子）３２１に接続される第１端子挿入部１２１と、第２ケーブル（外部端子）１２２に接続される第２端子挿入部１２２とを有する。コネクタ本体１２０がホルダ１１０のコネクタ本体取付部に取付けられた状態で、コネクタ本体１２０の第１端子挿入部１２１と第２端子挿入部１２２とは、第１端子挿入部１２１に平行で留め部１１２を通る第１仮想線Ｎ１−Ｎ１に対して線対称の位置に配置されている。このため、この構成のコネクタ１００を電力変換装置１に適用することにより、ケーブル部材３２０の引出し方向を１８０度、変えることができる。このコネクタ１００は、ケーブルとバスバーとを連結するための端子台等の部材を不要とするため、電力変換装置１の小型化を図ることができる。また、コネクタ１００を取付ける向きの変更は、留め部１１２が電力変換装置１のハウジング２００に固定される位置を変更するだけでよいので、能率的に行うことができる。
（２）電力変換装置１は、コネクタ１００と電力変換回路部を収納する収納部２１０を有するハウジング２００を備えている。ハウジング２００の収納部２１０内には、コネクタ１００のホルダ１１０の留め部１１２が固定される第１コネクタ取付部２２１および第２コネクタ取付部２２２が設けられている。このため、コネクタ１００の向きを変更するには、留め部１１２を、第１コネクタ取付部２２１に固定するか、第２コネクタ取付部２２２に固定するかを選択するだけでよく、能率的である。
（３）電力変換装置１は、さらに、第１端子挿入部１２１の第１端子に接続される一端１５１ａと、電力変換回路部に接続される第１接続端子部３６１に接続される他端を有する第１バスバー１５１と、第２端子挿入部１２２の第２端子に接続される一端１５２ａと、電力変換回路部に接続される第２接続端子部３６２に接続される他端１５２ｂを有する第２バスバー１５２とを有する。第１接続端子部３６１と第２接続端子部３６２とは、第１コネクタ取付部２２１と第２コネクタ取付部２２２間の中心を通り第１仮想線Ｎ１−Ｎ１に対して垂直な第２仮想線Ｎ２−Ｎ２に対して線対称の位置に配置されている。このため、コネクタ１００の向きを１８０度回転した場合でも、第１バスバー１５１の他端１５１ｂは第１接続端子部３６１に、また、第２バスバー１５２の他端１５２ｂは第２接続端子部３６２に位置が合う。
（４）コネクタ本体は、第１端子支持部（第１バスバー取付部）１２３ａと第２端子支持部（第２バスバー取付部）１２３ｂとを有し、第１端子支持部１２３ａに第１端子が取付けられ、第２端子支持部１２３ｂに第２端子が取付けられている。第１バスバー１５１の一端１５１ａは、第１端子に接続された状態で第１端子支持部１２３ａに固定され、第２バスバー１５２の一端１５２ａは、第２端子に接続された状態で第２端子支持部１２３ｂに固定されている。第１端子支持部１２３ａおよび第２端子支持部１２３ｂに、バスバーを固定する固定部と電気的な接続部との機能を兼用させるので、コネクタ１００を簡素な構造とすることができる。
（５）第１バスバー１５１と第２バスバー１５２とは、絶縁部材１５３により一体化されたバスバー部材１５０として形成されている。このため、第１バスバー１５１と第１接続端子部３６１、および第２バスバー１５２と第２接続端子部３６２との接続作業が容易となる。
【００５１】
なお、上記一実施の形態では、コネクタ本体１２０とホルダ１１０との組付けは、コネクタ本体１２０とホルダ１１０との両端側で締結部材１１を用いて締結する構造として例示した。しかし、コネクタ本体１２０とホルダ１１０と、中央部側の１か所で固定するようにしてもよい。
【００５２】
上記一実施の形態では、２つの端子挿入部を有するコネクタ１００として例示した。しかし、端子挿入部は、３つ以上とすることができる。
【００５３】
上記一実施の形態では、コネクタ１００の留め部１１２が固定される第１、第２コネクタ取付部２２１、２２２を、ハウジング２００の底部２０１に設けた構造として例示した。しかし、第１、第２コネクタ取付部２２１、２２２はハウジング２００の側壁に設けるようにしてもよい。
【００５４】
上記一実施の形態では、第１バスバー１５１、第２バスバー１５２は、絶縁部材１５３により一体化されたバスバー部材１５０として形成されているものとして例示した。しかし、第１バスバー１５１および第２バスバー１５２は、それぞれ、相互に分離された１つの部材として用いるようにしてもよい。
【００５５】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００５６】
１      電力変換装置
１００      コネクタ
１１０      ホルダ
１１２      留め部
１１４      雌ねじ部（コネクタ本体取付部）
１１５      ピン部（コネクタ本体取付部）
１２０      コネクタ本体
１２１      第１端子挿入部
１２２      第２端子挿入部
１２３ａ    第１端子支持部
１２３ｂ    第２端子支持部
１５０      バスバー部材
１５１      第１バスバー
１５１ａ    一端
１５１ｂ    他端
１５２      第２バスバー
１５２ａ    一端
１５２ｂ    他端
１５３      絶縁部材
２００      ハウジング
２１０      収納部
２１３      側壁（側部）
２１３ａ    開口部
２１３ｂ    開口部
２１４      側壁（側部）
２１５      封口部材
２２１      第１コネクタ取付部
２２２      第２コネクタ取付部
３２０      ケーブル部材
３２１ａ    接続端子（第１の外部端子）
３２２ａ    接続端子（第２の外部端子）
３６１      第１接続端子部
３６２      第２接続端子部
【図１】
2018073517.tif 000003
【図２】
2018073517.tif 000004
【図３】
2018073517.tif 000005
【図４】
2018073517.tif 000006
【図５】
2018073517.tif 000007
【図６】
2018073517.tif 000008
【図７】
2018073517.tif 000009
【図８】
2018073517.tif 000010